(57)【要約】【課題】  施工時のフロアの位置出しが容易に行えると共に、設置作業の作業性の向上を図り得るフロア設置用の施工部材を提供する。【解決手段】  床面建築躯体と壁面建築躯体で形成される施工空間内に、略平板状に形成されたフロアを設置する際に使用されるフロア設置用の施工部材であって、施工部材が垂直面や傾斜面を有する楔形状に形成され、該楔形状の施工部材を壁面建築躯体とフロアの外周部との間に嵌挿した状態でフロアが位置出しされて施工空間内に設置されることを特徴とする。前記施工部材は、側面視で略三角形状に形成されて傾斜面部分に位置出し手段が設けられ、また平面視で方形状のフロアの壁面建築躯体と対向する外周三辺にそれぞれ配置される。【選択図】  図１
2006200228.tif 000002
【特許請求の範囲】
【請求項１】
床面建築躯体と壁面建築躯体で形成される施工空間内に、略平板状に形成されたフロアを設置する際に使用されるフロア設置用の施工部材であって、
前記施工部材が楔形状に形成され、該楔形状の施工部材を前記壁面建築躯体とフロアの外周部との間に嵌挿した状態でフロアが位置出しされて前記施工空間内に設置されることを特徴とするフロア設置用の施工部材。
【請求項２】
前記施工部材は、側面視で略三角形状に形成されてその傾斜面部分に位置出し手段が設けられていることを特徴とする請求項１に記載のフロア設置用の施工部材。
【請求項３】
前記位置出し手段は、一定間隔で設けられた目盛りもしくは前記施工空間の形態に応じて設定された目盛りであることを特徴とする請求項２に記載のフロア設置用の施工部材。
【請求項４】
前記施工部材は、平面視で方形状のフロアの前記壁面建築躯体と対向する外周三辺にそれぞれ配置されることを特徴とする請求項１ないし３のいずれかに記載のフロア設置用の施工部材。
【発明の詳細な説明】
【技術分野】
【０００１】
本発明は、例えば浴室の防水パン等の各種フロアを施工現場に設置する際に使用されるフロア設置用の施工部材に関する。
【背景技術】
【０００２】
一般的に、システムバスルーム等の浴室においては、例えば図５に示すように、浴槽側フロア１ａ（浴槽側防水パン）と洗い場側フロア１ｂ（洗い場側防水パン）からなる浴室フロア１を有し、浴槽側フロア１ａ上に図示しない浴槽が設置されると共に、洗い場側フロア１ｂの表面によって洗い場が形成されている。これらの各フロア１ａ、１ｂは、その底面（裏面）に設けた複数本の脚２をコンクリート躯体上に位置出ししながら載置することにより設置され、その際、各脚２に設けた高さ調整ボルト３によって設置高さが調整される。そして、この設置された各フロア１ａ、１ｂの外周三辺４上に浴室の壁パネルが載置されたり、各フロア１ａ、１ｂ上に浴槽やカウンター等の必要部材が載置されて浴室が組み立てられるようになっている。
【０００３】
従来、このような各フロア１ａ、１ｂの設置は、例えば水平状態を検出できる水準器等を各フロア１ａ、１ｂ上に載置し、脚２の高さ調整ボルト３の突出長さを調整しつつ、各フロア１ａ、１ｂ自体をコンクリート躯体上で左右や前後方向に移動させながら行っている。なお、このようなフロアの施工に関する公報としては、例えば特許文献１に開示されている。
【特許文献１】特開２００１−３２３４６号公報
【発明の開示】
【発明が解決しようとする課題】
【０００４】
しかしながら、このようなフロアの施工方法においては、単にフロア自体の移動によって行っているため、フロアを位置出しする際に、フロアを移動させてもこれに追従して当該フロアの脚２の高さ調整ボルト３がコンクリート躯体上をスムーズに移動しない場合がある。特に、建築躯体により沓摺り高さが高い場合には、脚２の高さが例えば図５に示す洗い場側フロア１ｂのように高くなって、脚２の移動がフロア１ｂの移動になかなかスムーズに追従し難く、前述した問題点が顕著になり易い。
【０００５】
本発明は、このような事情に鑑みてなされたもので、その目的は、施工時のフロアの位置出しが容易に行えると共に、設置作業の作業性の向上を図り得るフロア設置用の施工部材を提供することにある。
【課題を解決するための手段】
【０００６】
かかる目的を達成すべく、本発明のうち請求項１に記載の発明は、床面建築躯体と壁面建築躯体で形成される施工空間内に、略平板状に形成されたフロアを設置する際に使用されるフロア設置用の施工部材であって、前記施工部材が楔形状に形成され、該楔形状の施工部材を前記壁面建築躯体とフロアの外周部との間に嵌挿した状態でフロアが位置出しされて前記施工空間内に設置されることを特徴とする。
【０００７】
そして、前記施工部材は、請求項２に記載の発明のように、側面視で略三角形状に形成されてその傾斜面部分に位置出し手段が設けられていることが好ましく、この場合、前記位置出し手段は、請求項３に記載の発明のように、一定間隔で設けられた目盛りもしくは前記施工空間の形態に応じて設定された目盛りであることが好ましい。また、前記施工部材は、請求項４に記載の発明のように、平面視で方形状のフロアの前記壁面建築躯体と対向する外周三辺にそれぞれ配置されることが好ましい。
【発明の効果】
【０００８】
本発明の請求項１に記載の発明によれば、側面視で楔形状に形成された施工部材が、施工空間を形成する壁面建築躯体とフロアの外周部との間に嵌挿された状態で、フロアが位置出しされつつ施工空間内に設置されるため、フロアの外周部と壁面建築躯体との間隙寸法を施工部材で所定値に簡単に設定できフロアの位置出しが容易に行えると共に、間隙内への施工部材の嵌挿により設置後のフロアのずれ等を抑えることができ再位置出しが不要になる等、フロアの設置作業の作業性を向上させることができる。
【０００９】
また、請求項２に記載の発明によれば、請求項１に記載の発明の効果に加え、施工部材が略三角形状に形成されてその傾斜面部分に位置出し手段が設けられているため、傾斜面部分に設けた位置出し手段でフロアの壁面建築躯体に対する位置を目視でかつ数値的に確実に把握できて、位置出し作業が簡単かつ効率的に行えると共に、略三角形状により施工部材自体の構成を簡易にして安価に形成することができる。
【００１０】
また、請求項３に記載の発明によれば、請求項２に記載の発明の効果に加え、位置決め手段が一定間隔で設けられた目盛りもしくは施工空間の形態に応じて設定された目盛りであるため、一定間隔の目盛りにより施工部材の位置を的確に把握できたり、フロアや壁面建築躯体のサイズに応じた目盛りにより施工部材の位置を的確に把握できて、位置出し作業を一層簡単かつ効率的に行うことができる。
【００１１】
また、請求項４に記載の発明によれば、請求項１ないし３に記載の発明の効果に加え、施工部材が平面視で方形状のフロアの壁面建築躯体と対向する外周三辺にそれぞれ配置されるため、方形状のフロアの外周三辺と壁面建築躯体の三面間に嵌挿された施工部材により、フロアの外周三辺の位置出しを略同時に行うことができて、その設置作業の作業性を一層向上させることができる。
【発明を実施するための最良の形態】
【００１２】
以下、本発明の実施の形態を図面に基づいて詳細に説明する。
図１〜図４は、本発明に係わる施工部材の一実施形態を示し、図１がその斜視図、図２がその側面図、図３及び図４が該施工部材を浴室フロアに使用した場合の施工方法の説明図である。なお、前述した図５と同一部分には、同一符号を付して説明する。
【００１３】
図１において、施工部材５は、例えば板厚ｔが３０〜５０ｍｍのゴム、樹脂、木材等により側面視で略直角三角形状に形成され、直角に交叉する長さＬ１の垂直面５ａと長さＬ２の水平面５ｂ及び傾斜面５ｃを有している。また、垂直面５ａと傾斜面５ｃの交叉部は、その角度が略３０度程度に設定されると共に、該交叉部に幅Ｗの先端嵌挿部６が垂直面５ａ方向に所定長さ突出する状態で一体形成されている。
【００１４】
そして、この施工部材５の板厚ｔ方向の両側面５ｄの傾斜面５ｃ部分には、図２に示すように、位置出し手段としての目盛り７が付与されている。この目盛り７としては、図２（ａ）に示すように、両側面５ｄの傾斜面５ｃ部分に１０ｍｍの一定間隔で付与された等間隔目盛り７ａで形成されたり、図２（ｂ）に示すように、両側面５ｄの傾斜面５ｃから垂直面５ａにかけて隣接する間隔が後述する施工空間１２の形態に応じて設定された不等間隔目盛り７ｂ等により形成されている。この時、目盛り７は、施工部材５の傾斜面５ｃを含む両側面５ｄ部分に、該側面５ｄ等への直接印刷や印刷シートの貼着あるいは刻印等によって付与され、また、施工部材５の側面５ｄには、図２（ａ）に示すように、必要に応じて施工部材５を軽量化するための開口８（あるいは凹部）が設けられている。
【００１５】
次に、このように構成された施工部材５を使用した前記洗い場側フロア１ｂの施工方法の一例を、図３及び図４等を参照して説明する。先ず、例えば図２（ａ）に示すように等間隔目盛り７ａが付与された施工部材５を６個準備し、図３及び図４に示すように、浴室の３つの壁面を形成する壁面建築躯体１０とコンクリート躯体等の床面建築躯体１１とで形成される施工空間１２内に、洗い場側フロア１ｂを配置する。この時、洗い場側フロア１ｂには、その底面に４本の高さ調整ボルト３を有する脚２が設けられており、この各脚２の高さ調整ボルト３を略同一高さに設定した状態で床面建築躯体１１上に載置する。
【００１６】
また、この洗い場側フロア１ｂの床面建築躯体１１上への載置時に、３個の施工部材５の先端嵌挿部６を、洗い場側フロア１ｂの左右及び後方の外周三辺４とこれに対向する壁面建築躯体１０との間隙１３内に上方から嵌挿する。そして、この状態で、洗い場側フロア１ｂの上面の水平度を、該上面の適宜位置に載置した図示しない水準器で確認しながら、各脚２の高さ調整ボルト３の突出寸法を微調整すると共に、洗い場側フロア１ｂの外周三辺４が当接している施工部材５の側面５ｄに設けられた目盛り７の位置を確認する。この目盛り７の位置確認で、洗い場側フロア１ｂの外周三辺４が３個の施工部材５に対して略同一目盛り位置に当接していない場合は、外周三辺４と各壁面建築躯体１０との間隙１３寸法が略同一でなく、洗い場側フロア１ｂの位置出しが適当でないと判断して、洗い場側フロア１ｂを図４の矢印イの如く左右（もしくは前後）方向に僅かに移動させる。
【００１７】
この洗い場側フロア１ｂの移動により、外周三辺４と各壁面建築躯体１０の間隙１３寸法が調整（増減）されると共に、この間隙１３寸法の増減に追従して楔形状の施工部材５が矢印ロの如く上下動し、外周三辺４が各施工部材５の略同一目盛り位置に当接した位置で移動を停止させる。これにより、洗い場側フロア１ｂが位置出しされる。そして、この位置出し状態において、３個の施工部材５の各垂直面５ａが各壁面建築躯体１０に面接触状態で当接し、各傾斜面５ｃの所定位置が洗い場側フロア１ｂの外周三辺４に線接触状態で当接し、外周三辺４と各壁面建築躯体１０との間隙１３寸法が略同一状態で施工空間１２内に配置される。
【００１８】
洗い場側フロア１ｂが床面建築躯体１１上に位置出しされて配置されたら、残りの３個の施工部材５を使用して、浴槽側フロア１ａを、洗い場側フロア１ｂと同様にして施工空間１２内に配置すると共に、この浴槽側フロア１ａと既に位置出し配置されている洗い場側フロア１ｂとを図示しない連結部材で連結して両フロア１ａ、１ｂを一体化する。そして、この両フロア１ａ、１ｂを一体化した状態で、各フロア１ａ、１ｂの脚２の下端である高さ調整ボルト３部分を、各フロア１ａ、１ｂに設けた点検口等を利用してモルタル９等の適宜の固着手段で床面建築躯体１１上に固着し、両フロア１ａ、１ｂの移動を規制する。
【００１９】
次に、各フロア１ａ、１ｂの外周三辺４上に複数の壁パネル（図示せず）を一枚づつ載置すると共にシーリングして浴室の壁面を形成する。この壁パネルを載置する際に、載置しようとする壁パネルに対応する個所の施工部材５のみを順次上方に抜いて取り外していくようにして、他の個所の施工部材５は嵌挿させたままにしておくことにより、壁パネルの載置作業時における各フロア１ａ、１ｂのずれや揺れ等を抑えることができる。なお、壁パネルを載置していく毎に施工部材５が取り外されていくことになるが、載置された壁パネルの重さによって各ロフア１ａ、１ｂは安定していくため、ずれ等の問題が生じ難くなる。これにより、施工空間１２内に洗い場側フロア１ｂと浴槽側フロア１ａからなる浴室フロア１が設置されることになる。
【００２０】
つまり、この施工部材５を使用した施工方法の場合、平面視で方形状の各フロア１ａ、１ｂの外周三辺４とこれに対向する壁面建築躯体１０との間隙１３内に、側面視で略三角形状の施工部材５の先端嵌挿部６を嵌挿して、施工部材５の傾斜面５ｃ部分に設けた目盛り７により、その位置を目視でかつ目盛り７の数値で把握しつつ配置でき、位置が適当でない場合には、フロア１ａ、１ｂを水平面内で僅かに移動することで、施工部材５を間隙１３内で上下動させつつ位置出しが行えることになる。
【００２１】
このように、上記実施形態の固定部材５にあっては、垂直面５ａと傾斜面５ｃを有して側面視で略直角三角形の楔形状に形成された施工部材５が、施工空間１２を形成する壁面建築躯体１０と各フロア１ａ、１ｂの外周三辺４との間の間隙１３内に嵌挿された状態で、各フロア１ａ、１ｂが位置出しされつつ施工空間１２内に設置されるため、フロア１ａ、１ｂの外周三辺４と壁面建築躯体１０との間隙１３寸法を施工部材５で所定値に簡単に設定できて、フロア１ａ、１ｂの位置出しを容易かつ確実に行うことができる。
【００２２】
また、施工部材５が略直角三角形状に形成されその傾斜面５ｃ部分に、等間隔目盛り７ａや不等間隔目盛り７ｂ等からなる目盛り７が付与されているため、この目盛り７の使用により各フロア１ａ、１ｂの壁面建築躯体１０に対する位置を目視でかつ数値的に把握できて、位置出し作業を簡単かつ効率的に行うことができ、特に、施工空間１２の形態に応じた不等間隔目盛り７ｂを予め付与しておくことにより、各種施工空間１２に対する位置出し作業を一層簡単に行うことができる。
【００２３】
さらに、３個の施工部材５が平面視で方形状のフロア１ａ、１ｂの壁面建築躯体１０と対向する外周三辺４にそれぞれ配置されることから、方形状のフロア１ａ、１ｂの外周三辺４と壁面建築躯体１０との間隙１３内にそれぞれ嵌挿された施工部材５により、フロア１ａ、１ｂの外周三辺４の位置出しを略同時に行うことができる。これらにより、各フロア１ａ、１ｂの施工空間１２内への設置を一層簡単かつ効率的に行うことができ、例えば沓摺り高さが高い浴室の洗い場側フロア１ｂ等であっても、高さ調整ボルト３を有する脚２を床面建築躯体１１上の所定位置に簡単に設置できて、システムバスルーム等の施工の一層の効率化を図ることが可能となる。
【００２４】
また、施工部材５が側面視で略直角三角形状に形成されているため、施工部材５自体の構成を簡易にして簡単に製造できると共に、開口８等を設けることで軽量化できてその使い勝手が向上する等、安価で使い勝手に優れた施工部材５の提供が可能となる。
【００２５】
なお、上記実施形態においては、施工部材５の垂直面５ａと傾斜面５ｃの交叉部分に先端嵌挿部６を設けたが、例えば図１の二点鎖線で示すように、水平面５ｂと傾斜面５ｃの交叉部分にも、先端嵌挿部１４を設けることもできる。このように構成すれば、間隙１３が比較的大きい場合には先端嵌挿部１４を間隙１３内に嵌挿させ、間隙１３が比較的小さい場合には先端嵌挿部６を間隙１３内に嵌挿する等、間隙１３の寸法に応じて２つの先端嵌挿部６、１４を使い分けすることができると共に、嵌挿されない先端嵌挿部６、１４により、間隙１３が大きくなった場合の施工部材５自体の該間隙１３内への落ち込み等を防止して、設置作業を一層簡単に行うことができる。
【００２６】
また、上記実施形態における、施工部材５の各面５ａ〜５ｃの交叉部の角度も、浴室フロア１の外周三辺４と壁面建築躯体１０との設計上の間隙に応じて適宜に増減できるし、垂直面５ａと水平面５ｂの角度も直角に限らず、所定角度に設定して側面視で適宜の三角形状に形成することもできる。さらに、施工部材５の全体形状やその先端嵌挿部６、１４の形状、側面５ｄに設けられる目盛り７等も、図示した例に限定されず、施工空間１２の形態に応じて適宜構成を採用することができる。
【産業上の利用可能性】
【００２７】
本発明は、システムバスルーム等の浴室の分割された洗い場側フロアや浴槽側フロアへの適用に限らず、例えば一体化された浴室フロア、あるいは洗面室やトイレ室等の各種水廻り空間のフロアにも適用できる。
【図面の簡単な説明】
【００２８】
【図１】本発明に係わる施工部材の一実施形態を示す斜視図
【図２】同その側面図
【図３】同該施工部材を使用した洗い場側フロアの施工方法の一例を説明するための平面図
【図４】同その正面図
【図５】一般的な浴室フロアを示す斜視図
【符号の説明】
【００２９】
１・・・浴室フロア、１ａ・・・浴槽側フロア、１ｂ・・・洗い場側フロア、２・・・脚、３・・・高さ調整ボルト、４・・・外周三辺、５・・・施工部材、５ａ・・・垂直面、５ｂ・・・水平面、５ｃ・・・傾斜面、５ｄ・・・側面、６・・・先端嵌挿部、７・・・目盛り、７ａ・・・等間隔目盛り、７ｂ・・・不等間隔目盛り、８・・・開口、９・・・モルタル、１０・・・壁面建築躯体、１１・・・床面建築躯体、１２・・・施工空間、１３・・・間隙、１４・・先端嵌挿部。
【図１】
2006200228.tif 000003
【図２】
2006200228.tif 000004
【図３】
2006200228.tif 000005
【図４】
2006200228.tif 000006
【図５】
2006200228.tif 000007